(57)【要約】【課題】長さの異なる手摺に取り替えなくても長さの調整が可能であり、手摺の長さを実質的に延長することができ、長めの手摺に取り替えたと同様の効果を生じる手摺の取付けブラケットを提供する。【解決手段】手摺の取付けブラケットＢは、固定部材１と固定部材１に着脱可能に装着される延長部材２を備えている。固定部材１は、手摺３の端部に取り付ける連結部１５と、手摺３の取着箇所側に向けて突出しており延長部材２の取着部２２を装着する装着部を含む。延長部材２は、固定部材１に取り付ける取着部２２と、固定部材１に取り付けた手摺３と同軸となって手摺３の端部から延出する方向に形成された延長部２３を含む。【選択図】図１
2009102881.tif 000002
【特許請求の範囲】
【請求項１】
手摺の端部に取り付けて使用する手摺の取付けブラケットであって、
固定部材(1)と当該固定部材(1)に着脱可能に装着される延長部材(2)を含み、
前記固定部材(1)は、手摺(3)の端部に取り付ける連結部(15)と、手摺の取着箇所側に向けて突出しており延長部材(2)の取着部(22)を装着する装着部(11,12,13,14)を含み、
前記延長部材(2)は、固定部材(1)に取り付ける取着部(22)と、固定部材(1)に取り付けた手摺(3)と同軸または実質的に同軸となって手摺(3)の端部から延出する方向に形成された延長部(23)を含む、
手摺取付ブラケット。
【請求項２】
固定部材(1)の装着部(11,12,13,14)と延長部材(2)の取着部(22)は、それぞれ嵌合可能に形成され、固定部材(1)と延長部材(2)との装着は嵌合によって行われる、
請求項１記載の手摺取付ブラケット。
【請求項３】
手摺り本体(3)の一端または両端に、請求項１または２記載の手摺取付ブラケットを備えた、
手摺装置。
【請求項４】
延出長が異なる延長部(23)を有する複数の延長部材(2)の中から手摺取付ブラケットが選択できるようにした、
請求項３記載の手摺装置。
【発明の詳細な説明】
【技術分野】
【０００１】
本発明は、手摺の取付けブラケット及び手摺装置に関する。更に詳しくは、手摺の長さを実質的に延長でき、手摺の取付け当初から長い手摺を取付けた場合と同じように使用できる手摺の取付けブラケット及び手摺装置に関する。
【背景技術】
【０００２】
玄関の昇降箇所の壁面や、便所の便器が設置されている壁面などには、人の動作補助をする手摺が設置されている。このような手摺は、両端が取付けブラケットを介して壁面に取り付けられている。
そのようなブラケットしては下記の特許文献１に記載したものがある。
【０００３】
【特許文献１】特開平９−２０３１８１
【発明の開示】
【発明が解決しようとする課題】
【０００４】
ところで、設置当初は必要且つ十分な長さを有すると思われた手摺でも、使用中にもう少し長い手摺が必要となる場合がある。また、手摺の設置位置を手摺の長手方向に変更することによって、使用勝手が良くなる場合もある。
このような場合は手摺を取替えたり、手摺の取付け位置を変える必要があるが、取替えや位置変更に手間がかかるばかりでなく、取付けブラケットの位置が変更になると、変更前の取付けブラケットの取付け跡が壁面に残り、見た目が悪い。
【０００５】
（本発明の目的）
本発明の目的は、長さの異なる手摺に取り替えなくても長さの調整が可能であり、手摺の長さを実質的に延長でき、長めの手摺に取り替えたと同様の効果を生じる手摺の取付けブラケット及び手摺装置を提供することにある。
また、本発明の他の目的は、手摺の取付けブラケットの位置も変更しないで済み、ブラケットの取り付け跡が壁面に残ることも防止できる手摺の取付けブラケット及び手摺装置を提供することにある。
また、本発明の他の目的は、手摺の設置箇所の現状に適合した長さの手摺が提供でき、多様な要求に対応することができる取付けブラケット及び手摺装置を提供することにある。
【課題を解決するための手段】
【０００６】
上記課題を解決するために本発明が講じた手段は次のとおりである。
本発明は、
手摺の端部に取り付けて使用する手摺の取付けブラケットであって、
固定部材と当該固定部材に着脱可能に装着される延長部材を含み、
前記固定部材は、手摺の端部に取り付ける取付部と、手摺の取着箇所側に向けて突出しており延長部材の取付部を装着する装着部を含み、
前記延長部材は、固定部材に取り付ける取付部と、固定部材に取り付けた手摺と同軸または実質的に同軸となって手摺の端部から延出する方向に形成された延長部を含む、
手摺取付ブラケットである。
【０００７】
固定部材の装着部と延長部材の取付部はそれぞれ嵌合可能に形成され、固定部材と延長部材の装着は、嵌合によって行うのが着脱の便利性から好ましい。
【０００８】
また、本発明は手摺り本体の一端または両端に、上記した手摺取付ブラケットを備えた、手摺装置である。
【０００９】
手摺取付ブラケットは、延出長が異なる延長部を有する複数の延長部材の中から選択できるようにすることが好ましい。これによって手摺の設置箇所の現状に適合した長さの手摺装置が提供できる。
【００１０】
（作用）
本発明に係る手摺の取付けブラケットの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１１】
固定部材(1)の取付部に手摺本体(3)の端部を取付け固定手段で固定する。手摺本体(3)の他方側も同様にして固定部材(1)を固定する。
その後、壁面(W)の手摺設置位置に固定部材(1)を固定手段で固定する。
なお、手摺本体(3)と固定部材(1)の取付け順序は上記順序に限定されるものではなく、好適な施工順序が採用される。
【００１２】
固定部材(1)を壁面(W)に取り付けた後に、延長部材(2)を固定部材(1)に取り付ける。延長部材(2)の相対する取着壁(25,26)を固定部材(1)の側壁(13)、(14)で囲まれた空間(100)に嵌め入れ、差込みガイド(30)をガイド穴(152)に差込みながら、又は差し込みガイド(30)をガイド穴(152)に差し込むと同時に固定具(29)を固定穴(154)に差し込む。
【００１３】
固定具(29)は弾性変形をしながら固定穴(154)の係合受部に係合する。これによって延長部材(2)は固定部材(1)に固定される。延長部材(2)が固定部材(1)に固定されると、手摺(3)と延長部材本体(21)が同軸上に位置することとなり、手摺(3)の長さを実質的に延長でき、当初から長い手摺を取り付けた場合と同じように使用できる。
【００１４】
また、延長部(23)を掴むことによって、壁面(W)に向かう方向又は壁面から離れる方向の力が加わった場合は、固定具(29)と差し込みガイド(30)によって、また壁面(W)に沿う平行な力が加わった場合は、側壁(13,14)と取着壁(25,26)の嵌合及び側壁(13,14)と開口部(28)の縁部(28a)との係合により、何れも延長部材(2)が固定部材(1)から取り外れるのを防止できる。
【発明の効果】
【００１５】
本発明によれば、長さの異なる手摺に取り替えなくても長さの調整が可能であり、手摺の長さを実質的に延長でき、長めの手摺に取り替えたと同様の効果を生じる。
また、手摺の取付けブラケットの位置も変更しないで済むので、ブラケットの取り付け跡が壁面に残ることも防止できる。
【００１６】
さらに、長さの異なる延長部材を複数種類用意しておけば、手摺の設置箇所の現状に適合した長さの手摺装置が提供でき、多様な要求に対応することができる。
【発明を実施するための最良の形態】
【００１７】
本発明を図面に示した実施例に基づき詳細に説明する。
〔実施の形態〕
【００１８】
図１は本発明に係る手摺取付けブラケットの一実施の形態を示す分解斜視図、
図２は図１に示す手摺取付けブラケットの縦断面図、
図３は玄関の壁面に手摺取付けブラケットを介して手摺りを取付けた状態を示す説明図である。
なお、図１では手摺取付けブラケットの他に、手摺３、ナット５（座金含む）、取付ネジ４を表している。
【００１９】
手摺取付ブラケットＢは、壁面などに固定する固定部材１と、固定部材１に取り付けることによって手摺の長さを実質的に延長できる延長部材２を備えている。
この実施の形態では、固定部材１に対する延長部材２の取り付けが嵌着によって行われるが、他の固定手段を採用することもできる。
【００２０】
図１を参照して固定部材１について説明する。
固定部材１は、基部１１を有する。基部１１の基端側（壁面などの取付け箇所側）には、基部１１に対して直角方向（壁面などの取付け箇所に対して並行）に延びる固定壁１２が形成されている。固定壁１２には、取付け用の所要数（本実施例では四箇所）の挿通孔１２０が設けてあり、取付ネジ４を挿通して壁面Ｗなどの取付け箇所に取り付けることができるようにしている。
【００２１】
基部１１と固定壁１２の両側を含む平面上に、対向状態に設けられた側壁１３、１４が形成されている。基部１１、固定壁１２及び側壁１３、１４は、後で説明する延長部材２の取着部２２を嵌入して装着する装着部を構成する。なお、基部１１と固定壁１２と側壁１３、１４で囲まれた空間は、嵌着空間１００となっている。
【００２２】
基部１１のうち固定壁１２と反対側には、手摺り本体である手摺３を取り付ける連結部１５が形成されている。連結部１５の手摺取付面１６側（図１では下方に向けて）には、手摺３に外嵌めする嵌合筒部１５１が形成されている。連結部１５の上面１７には、ガイド穴１５２が形成されている。ガイド穴１５２とは反対側の固定壁１２寄りには固定穴１５４が形成されている。また、固定穴１５４の内壁には係合受部１５５が突出して設けてある。
連結部１５には、手摺３の端部から突出した取着ボルト３１を挿通する挿通孔１５３が、手摺取付面１６と上面１７の間を貫通して設けられている。
【００２３】
延長部材２は、有蓋円筒形状に形成されている延長部材本体２１と、固定部材１へ取り付けるための取着部２２を有している。取着部２２は、延長部材本体２１の軸線方向とは直角方向に周壁面から突設されている。延長部材本体２１のうち、取着部２２から先端側にかけて延長部２３が延設されている。取着部２２は、延長部材本体２１の軸線方向に対して周壁から直角方向に突設されている突出壁２４を有する。
【００２４】
突出壁２４からは、対向状態に設けられた取着壁２５、２６が延長部材２の軸線方向と同方向で基端側に向けて延設されている。延長部材本体２１の取着壁２５、２６間には、縁部２８ａで囲まれて開口部２８が形成されており、固定部材１の側壁１３、１４を延長部材本体２１内に嵌め入れたときに接合部分が見栄え良くなるようにしている。
【００２５】
取着壁２５、２６間には、取付部材２７が架設されており、取付部材２７にはバネ材で形成された固定具２９が取り付けてある。固定具２９の先端には、湾曲形成された係合部２９ａが設けられている。
また、延長部材本体２１の内部であって突出壁２４と反対側には、差し込みガイド３０が形成されている。さらに、延長部材２の内壁には、補強リブ３２が所要数（本実施例では軸線方向に二本）形成されている。
【００２６】
（作用）
図１ないし図３を参照して、手摺装置（符号省略）の取付方法を説明する。
嵌合筒部１５１に手摺３の一端側を嵌入する。この実施の形態の手摺３はセラミック製の円柱形の手摺であり、両端面から取着ボルト３１が突設しているので、取着ボルト３１を連結部１５の挿通孔１５３に挿通し、ナット５で固定する。
手摺３の他端側は図示していないが、同様にして固定部材１を固定する。
【００２７】
その後、壁面Ｗの手摺設置位置に固定部材１の固定壁１２を固定手段、例えば取付ネジ４を挿通孔１２０に挿通して固定する。固定壁１２は接着剤等、他の固定手段を介して壁面に固定しても良い。
なお、手摺３と固定部材１の取付け順序は上記順序に限定されるものではなく、好適な施工順序が採用される。
【００２８】
固定部材１を壁面Ｗに取り付けた後に、延長部材２を各固定部材１に取り付ける。延長部材２の相対する取着壁２５、２６を固定部材１の側壁１３、１４で囲まれた嵌着空間１００に嵌め入れ、差し込みガイド３０をガイド穴１５２に差し込みながら、又は差し込みガイド３０をガイド穴１５２に差し込むと同時に固定具２９を固定穴１５４に差し込む。
【００２９】
固定具２９は弾性変形し、先端の係合部２９ａが固定穴１５４の係合受部１５５に係合する。これによって延長部材２は固定部材１に固定される。なお、手摺装置は、手摺３と、その両端に取り付けられた手摺取付ブラケットＢにより構成される。
延長部材２が固定部材１に固定されると、手摺３と延長部材本体２１が同軸上に位置することとなり、手摺３の長さを実質的に延長でき、当初から長い手摺を取り付けた場合と同じように使用できる。
【００３０】
なお、延長部２３を掴むことによって、壁面Ｗに向かう方向または壁面から離れる方向の力が加わった場合は、固定具２９と差し込みガイド３０によって、また、壁面Ｗに沿う平行な力が加わった場合は、側壁１３、１４と取着壁２５、２６の嵌合及び側壁１３、１４と開口部２８の縁部２８ａとの係合により、何れも延長部材２が固定部材１から取り外れるのを防止できる。さらには、延長部の長さの異なる延長部材を複数種類用意しておけば、それを適宜選択することにより、多様な要求に対応することができる。
【００３１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３２】
【図１】本発明に係る手摺取付けブラケットの一実施の形態を示す分解斜視図。
【図２】図１に示す手摺取付けブラケットの縦断面図。
【図３】玄関の壁面に手摺取付けブラケットを介して手摺りを取付けた状態を示す説明図。
【符号の説明】
【００３３】
Ｂ  手摺取付ブラケット
１  固定部材
１１  基部
１２  固定壁
１２０  挿通孔
１３、１４  側壁
１００  嵌着空間
１５  連結部
１５１  嵌合筒部
１５２  ガイド穴
１５３  挿通孔
１５４  固定穴
１５５  係合受部
１６  手摺取付面
１７  上面
２  延長部材
２１  延長部材本体
２２  取着部
２３  延長部
２４  突出壁
２５、２６  取着壁
２７  取付部材
２８  開口部
２８ａ  縁部
２９  固定具
２９ａ  係合部
３０  差し込みガイド
３  手摺
３１  取着ボルト
３２  補強リブ
４  取付ネジ
５  ナット
Ｗ  壁面
【図１】
2009102881.tif 000003
【図２】
2009102881.tif 000004
【図３】
2009102881.tif 000005